(57)【要約】【課題】  光ピックアップを水平姿勢で精密に往復移動させること。【解決手段】  ディスクＤを回転させるためのターンテーブル４を設けたシャーシ３の中央孔３ａに光ピックアップ６が配置され、該光ピックアップ６をディスクＤの半径方向に沿って移動可能に支持する一対のガイドシャフト７，８の両端部に対向してシャーシ３から支持片９ａ〜９ｄが切り起こされ、該各支持片９ａ〜９ｄに接近してシャーシ３に貫設したねじ孔に高さ調整ねじ１１ａ〜１１ｄが螺合され、各ガイドシャフト７，８の両端部を支持片９ａ〜９ｄの側縁と高さ調整ねじ１１ａ〜１１ｄの先端に押し付けるトーションばね１２ａ〜１２ｄが各ガイドシャフト７，８の両端部に係合されており、高さ調整ねじ１１ａ〜１１ｄ間の位置決め区域Ｈに対してその内側に一方のトーションばね１２ａ，１２ｃが配置されその外側に他方のトーションばね１２ｂ，１２ｄが配置されている。【選択図】        図１
2009004018.tif 000002
【特許請求の範囲】
【請求項１】
ディスクを回転させるためのターンテーブルを設けた金属板製シャーシの中央孔に光ピ
ックアップが配置され、該光ピックアップをディスクの半径方向に沿って移動可能に支持
する一対のガイドシャフトの両端部に対向してシャーシから支持片が切り起こされると共
に、該各支持片に接近してシャーシに貫設したねじ孔に高さ調整ねじが螺合され、各ガイ
ドシャフトの両端部を支持片の側縁と高さ調整ねじの先端に押し付ける付勢手段が設けら
れており、ターンテーブルを介してディスクを回転させ、光ピックアップを各ガイドシャ
フトに沿って移動させ、その光ピックアップからディスクにレーザ光を投射し、その反射
光に基づいてディスクに記録されている情報を読み取るようにしたディスク装置において
、各ガイドシャフトの両端部に係合する高さ調整ねじ間の位置決め区域に対してその内側
とその外側とにそれぞれ付勢手段による押圧力が付加されていることを特徴とするディス
ク装置。
【請求項２】
前記付勢手段が各ガイドシャフトの両端部に係合するトーションばねからなることを特
徴とする請求項１に記載のディスク装置。
【請求項３】
ディスクを回転させるためのターンテーブルを設けた金属板製シャーシの中央孔に光ピ
ックアップが配置され、該光ピックアップをディスクの半径方向に沿って移動可能に支持
する一対のガイドシャフトの両端部に対向してシャーシから支持片が切り起こされると共
に、該各支持片に接近してシャーシに貫設したねじ孔に高さ調整ねじが螺合され、各ガイ
ドシャフトの両端部を支持片の側縁と高さ調整ねじの先端に押し付けるトーションばねが
各ガイドシャフトの両端部に係合されており、ターンテーブルを介してディスクを回転さ
せ、光ピックアップを各ガイドシャフトに沿って移動させ、その光ピックアップからディ
スクにレーザ光を投射し、その反射光に基づいてディスクに記録されている情報を読み取
るようにしたディスク装置において、各ガイドシャフトの両端部に係合する高さ調整ねじ
間の位置決め区域に対してその内側に一方のトーションばねが配置されその外側に他方の
トーションばねが配置されていることを特徴とするディスク装置。
【発明の詳細な説明】
【技術分野】
【０００１】
本発明は、例えばＤＶＤ、ＣＤ、ＢＤなどのレコーダやプレーヤからなるディスク装置
に関し、特に、光ピックアップを水平姿勢で精密に往復移動させることができるようにし
たものである。
【背景技術】
【０００２】
従来、図６〜図１０に示すように、ディスク装置の技術として特許文献１に記載したも
のがあり、図６は同概略平面図、図７は図６のＤ−Ｄ矢視図、図８は図６のＥ−Ｅ矢視図
、図９は図７のＦ−Ｆ拡大斜視図、図１０は同ガイドシャフトの撓み状態を示す概略説明
図である。
【０００３】
図６〜図８に示すように、筐体１に弾性体２を介して金属製シャーシ３が上下動可能に
配置され、ディスクＤを回転させるためのターンテーブル４付きスピンドルモータ５がシ
ャーシ３の前部に設けられると共に、該シャーシ３の中央孔３ａ内に光ピックアップ６が
配置され、該光ピックアップ６をディスクＤの半径方向に沿って前後方向ａ，ｂに移動可
能に支持する一対のガイドシャフト７，８が設けられ、該各ガイドシャフト７，８の両端
部に対向してシャーシ３から支持片９ａ〜９ｄが切り起こされと共に、該各支持片９ａ〜
９ｄにい接近してシャーシ３に貫設したねじ孔１０に高さ調整ねじ１１ａ〜１１ｄが螺合
され、各ガイドシャフト７，８の両端部にコイル形状のトーションばね（付勢手段）１２
ａ〜１２ｄが係合されている。
【０００４】
図９に示すように、各トーションばね１２ａ〜１２ｄの一端を各支持片９ａ〜９ｄに係
合させると共に、該各トーションばね１２ａ〜１２ｄの他端をシャーシ３に係合させ、こ
れにより発生する押圧力Ｆの水平分力Ｆａで各ガイドシャフト７，８の両端部を各支持片
９ａ〜９ｄの側縁に押し付けると共に、その垂直分力Ｆｂで各ガイドシャフト７，８の両
端部を各高さ調整ねじ１１ａ〜１１ｄの先端に押し付けている。
【０００５】
図６に示すように、最終調整では、各高さ調整ねじ１１ａ〜１１ｄを回転操作して各ガ
イドシャフト７，８の両端部の高さを調整することにより、該各ガイドシャフト７，８の
長手方向に沿うラジアル方向Ｒと、その各ガイドシャフト７，８の横断方向に沿うタンジ
ェント方向Ｔとにそれぞれ傾角調整し、光ピックアップ６からディスクＤに対してレーザ
光の当たる角度が直角になるように調整する。
【０００６】
図６に示すように、光ピックアップ６にラック１４ａ、ピニオン１４ｂ及び歯車１４ｃ
からなる連動機構１４を介して送りモータ１５が連動連結されている。なお、１６はシャ
ーシ３から切り起こして各ガイドシャフト７，８の両端部に対向するガイドシャフト用ス
トッパである。
【０００７】
操作手順を説明すると、シャーシ３を上動させて水平にすることにより、トレイ（図示
せず）上のディスクＤをターンテーブル４上に載置し、スピンドルモータ５によりターン
テーブル４を介してディスクＤを高速回転させ、送りモータ１５により連動機構１４を介
して光ピックアップ６を両ガイドシャフト７，８に沿って前後方向ａ，ｂに移動させ、該
光ピックアップ６からディスクＤにレーザ光を投射し、その反射光に基づいてディスクＤ
に記録されている情報を読み取る。
【０００８】
図７に示すように、一方のガイドシャフト７の両端部に係合する高さ調整ねじ１１ａ，
１１ｂ間の位置決め区域Ｈに対してその内側に両トーションばね１２ａ，１２ｂが配置さ
れている。
【０００９】
図８に示すように、他方のガイドシャフト８の両端部に係合する高さ調整ねじ１１ｃ，
１１ｄ間の位置決め区域Ｈに対してその内側に一方のトーションばね１２ｃが配置されそ
の外側に他方のトーションばね１２ｄが配置されている。
【特許文献１】特開２００５−３３２５３１号公報
【発明の開示】
【発明が解決しようとする課題】
【００１０】
上記従来の構成では、図７に示すように、一方のガイドシャフト７の両端部に係合する
高さ調整ねじ１１ａ，１１ｂ間の位置決め区域Ｈに対してその内側に両トーションばね１
２ａ，１２ｂが配置されており、図１０に示すように、両トーションばね１２ａ，１２ｂ
による垂直分力Ｆｂが位置決め区域Ｈにかかるため、図１０に仮想線で示すように、ガイ
ドシャフト７が円弧状に撓むことになる。
【００１１】
ここで具体的寸法の一例を示すと、図１０に誇張して示すように、円弧状に撓んだガイ
ドシャフト７の撓み角α１が０．１２°、ガイドシャフト７の中央の撓み幅ｔ１が０．０
５２９ｍｍである。
【００１２】
上記構成によれば、一方のガイドシャフト７が円弧状に撓ませられており、そのガイド
シャフト７の中央の撓み幅ｔ１が比較的大きいので、光ピックアップ６を両ガイドシャフ
ト７，８に沿って前後方向ａ，ｂに往復移動させたときに、該光ピックアップ６が両ガイ
ドシャフト７，８の両端部では水平姿勢を保っているが、その両ガイドシャフト７，８の
中央では光ピックアップ６がガイドシャフト７側に傾いて傾斜姿勢となり、その傾斜姿勢
の光ピックアップ６からディスクＤに対して投射されるレーザ光の投射角度に誤差が生じ
、読取りエラーを発生させるおそれがある。
【００１３】
本発明は、上記従来の欠点に鑑み、光ピックアップを水平姿勢で精密に往復移動させる
ことができるようにしたディスク装置を提供することを目的としている。
【課題を解決するための手段】
【００１４】
上記目的を達成するため、請求項１に記載の発明は、ディスクを回転させるためのター
ンテーブルを設けた金属板製シャーシの中央孔に光ピックアップが配置され、該光ピック
アップをディスクの半径方向に沿って移動可能に支持する一対のガイドシャフトの両端部
に対向してシャーシから支持片が切り起こされると共に、該各支持片に接近してシャーシ
に貫設したねじ孔に高さ調整ねじが螺合され、各ガイドシャフトの両端部を支持片の側縁
と高さ調整ねじの先端に押し付ける付勢手段が設けられており、ターンテーブルを介して
ディスクを回転させ、光ピックアップを各ガイドシャフトに沿って移動させ、その光ピッ
クアップからディスクにレーザ光を投射し、その反射光に基づいてディスクに記録されて
いる情報を読み取るようにしたディスク装置において、各ガイドシャフトの両端部に係合
する高さ調整ねじ間の位置決め区域に対してその内側とその外側とにそれぞれ付勢手段に
よる押圧力が付加されていることを特徴としている。
【００１５】
請求項２に記載の発明は、請求項１に記載の発明において、前記付勢手段が各ガイドシ
ャフトの両端部に係合するトーションばねからなることを特徴としている。
【００１６】
請求項３に記載の発明は、ディスクを回転させるためのターンテーブルを設けた金属板
製シャーシの中央孔に光ピックアップが配置され、該光ピックアップをディスクの半径方
向に沿って移動可能に支持する一対のガイドシャフトの両端部に対向してシャーシから支
持片が切り起こされると共に、該各支持片に接近してシャーシに貫設したねじ孔に高さ調
整ねじが螺合され、各ガイドシャフトの両端部を支持片の側縁と高さ調整ねじの先端に押
し付けるトーションばねが各ガイドシャフトの両端部に係合されており、ターンテーブル
を介してディスクを回転させ、光ピックアップを各ガイドシャフトに沿って移動させ、そ
の光ピックアップからディスクにレーザ光を投射し、その反射光に基づいてディスクに記
録されている情報を読み取るようにしたディスク装置において、各ガイドシャフトの両端
部に係合する高さ調整ねじ間の位置決め区域に対してその内側に一方のトーションばねが
配置されその外側に他方のトーションばねが配置されていることを特徴としている。
【発明の効果】
【００１７】
請求項１に記載の発明によれば、各ガイドシャフトの両端部に係合する高さ調整ねじ間
の位置決め区域に対してその内側とその外側とにそれぞれ付勢手段による押圧力が付加さ
れることにより、該各ガイドシャフトを略Ｓ字状に撓ませており、その撓み幅が小さいの
で、光ピックアップを両ガイドシャフトに沿って前後方向に往復移動させたときに、該光
ピックアップが両ガイドシャフトの両端部では勿論のことその中央でも水平姿勢を保つこ
とができ、その光ピックアップを水平姿勢で精密に往復移動させることができるから、光
ピックアップからディスクに対して投射されるレーザ光の投射角度に誤差が生じないよう
にして、そのディスクに記録されている情報を精密に読み取ることができる。
【００１８】
請求項２に記載の発明によれば、付勢手段として安価なトーションばねが用いられてい
るから、経済的である。
【００１９】
請求項３に記載の発明によれば、各ガイドシャフトの両端部に係合する高さ調整ねじ間
の位置決め区域に対してその内側とその外側とにそれぞれトーションばねによる押圧力が
付加されることにより、該各ガイドシャフトを略Ｓ字状に撓ませており、その撓み幅が小
さいので、光ピックアップを両ガイドシャフトに沿って前後方向に往復移動させたときに
、該光ピックアップが両ガイドシャフトの両端部では勿論のことその中央でも水平姿勢を
保つことができ、その光ピックアップを水平姿勢で精密に往復移動させることができるか
ら、光ピックアップからディスクに対して投射されるレーザ光の投射角度に誤差が生じな
いようにして、そのディスクに記録されている情報を精密に読み取ることができる。
【００２０】
また、押圧力付加手段として安価なトーションばねが用いられているから、経済的であ
る。
【発明を実施するための最良の形態】
【００２１】
図１〜図５は本発明の実施の一形態であるディスク装置を示すものであって、図１は同
概略平面図、図２は図１のＡ−Ａ矢視図、図３は図１のＢ−Ｂ矢視図、図４は図２のＣ−
Ｃ拡大斜視図、図５は同ガイドシャフトの撓み状態を示す概略説明図である。
【００２２】
図１及び図２に示すように、一方のガイドシャフト７の両端部に係合する高さ調整ねじ
１１ａ，１１ｂ間の位置決め区域Ｈに対してその内側に一方のトーションばね１２ａが配
置されその外側に他方のトーションばね１２ｂが配置されている。
【００２３】
図１及び図３に示すように、他方のガイドシャフト８の両端部に係合する高さ調整ねじ
１１ｃ，１１ｄ間の位置決め区域Ｈに対してその内側に一方のトーションばね１２ｃが配
置されその外側に他方のトーションばね１２ｄが配置されている。
【００２４】
上記構成では、図５に示すように、一方のトーションばね１２ａ，１２ｃによる垂直分
力Ｆｂが位置決め区域Ｈの内側にかかると共に、他方のトーションばね１２ｂ，１２ｄの
垂直分力Ｆｂが位置決め区域Ｈの外側にかかっているため、図５に仮想線で示すように、
ガイドシャフト７が略Ｓ字状に撓む状態となる。
【００２５】
ここで具体的寸法の一例を示すと、図５に誇張して示すように、略Ｓ字状に撓んだガイ
ドシャフト７，８の撓み角α２が０．０２４°、ガイドシャフト７，８の中央の撓み幅ｔ
２が０．００８９ｍｍであり、その撓み幅ｔ２を従来（図１０参照）に比べて２０％以下
に抑えている。
【００２６】
上記構成によれば、各ガイドシャフト７，８を略Ｓ字状に撓ませており、その撓み幅ｔ
２が小さいので、光ピックアップ６を両ガイドシャフト７，８に沿って前後方向ａ，ｂに
往復移動させたときに、該光ピックアップ６が両ガイドシャフト７，８の両端部では勿論
のことその中央でも水平姿勢を保つことができ、その光ピックアップ６を水平姿勢で精密
に往復移動させることができるから、光ピックアップ６からディスクＤに対して投射され
るレーザ光の投射角度に誤差が生じないようにして、そのディスクＤに記録されている情
報を精密に読み取ることができる。
【００２７】
また、押圧力Ｆの付加手段として安価なトーションばね１２ａ〜１２ｄが用いられてい
るから、経済的である。
【００２８】
上記の実施の形態では、図２及び図３に示すように、一方のトーションばね１２ａ，１
２ｃを位置決め区域Ｈの内側に配置しその外側に他方のトーションばね１２ｂ，１２ｄを
配置したが、その逆に、他方のトーションばね１２ｂ，１２ｄを位置決め区域Ｈの内側に
配置しその外側に一方のトーションばね１２ａ，１２ｃを配置してもよい。
【００２９】
また、押圧力Ｆの付加手段としてコイル形状のトーションばね１２ａ〜１２ｄを用いた
が、それに限定されるわけではなく、例えば板ばねを用いてもよい。
【図面の簡単な説明】
【００３０】
【図１】本発明の実施の一形態であるディスク装置を示す概略平面図である。
【図２】図１のＡ−Ａ矢視図である。
【図３】図１のＢ−Ｂ矢視図である。
【図４】図２のＣ−Ｃ拡大斜視図である。
【図５】同ガイドシャフトの撓み状態を示す概略説明図である。
【図６】従来例を示す概略平面図である。
【図７】図６のＤ−Ｄ矢視図である。
【図８】図６のＥ−Ｅ矢視図である。
【図９】図７のＦ−Ｆ拡大斜視図である。
【図１０】同ガイドシャフトの撓み状態を示す概略説明図である。
【符号の説明】
【００３１】
３              シャーシ
３ａ            シャーシの中央孔
４              ターンテーブル
６              光ピックアップ
７，８          ガイドシャフト
９ａ〜９ｄ      支持片
１０            ねじ孔
１１ａ〜１１ｄ  高さ調整ねじ
１２ａ〜１２ｄ  トーションばね（付勢手段）
Ｄ              ディスク
Ｈ              位置決め区域
【図１】
2009004018.tif 000003
【図２】
2009004018.tif 000004
【図３】
2009004018.tif 000005
【図４】
2009004018.tif 000006
【図５】
2009004018.tif 000007
【図６】
2009004018.tif 000008
【図７】
2009004018.tif 000009
【図８】
2009004018.tif 000010
【図９】
2009004018.tif 000011
【図１０】
2009004018.tif 000012